(57)【要約】上部が開いたコンテナを持ち運ぶことができるトロリー装置であって、ハンドル手段と、地表に沿って装置を移動できるようにする手段とで構成されている本体部分と、で構成されており、該本体部分は、直立している時に、地表の上に間隔を開けて設けられていて、上記コンテナの低い外側部分に係合することができる、少なくとも１つのコンテナ接触可能部分を備えている第１コンテナ接触可能手段と、上記本体部分が直立している時に、上記第１接触可能手段の上に間隔を開けて設けられていて、上記コンテナの高い内側部分に係合することができる、少なくとも１つのコンテナ接触可能部分を備えている第２コンテナ接触可能手段と、を備えており、上記本体部分は、上記手段の周りを旋回することができるものであって、両方の上記コンテナ接触可能手段を持ち上げる動作を行うことができるようになっている。
2006508864.tif 000002
【特許請求の範囲】
【請求項１】
直立停止状態から、コンテナを持ち運びすることができるトロリー装置であって、該装置は、ハンドル手段と、地表に沿って装置を移動できるようにするための手段と、を有する本体部分で構成されており、本体部分は、第１及び第２コンテナ接触可能手段からなるコンテナ接触可能手段を有しており、第１コンテナ接触可能手段は、上記本体部分が直立している時に、地面の上に間隔を開けて設けられており、且つ、少なくとも１つのコンテナ接触可能部分を有しており、該コンテナ接触可能部分は、本体部分から外側に突き出ており、且つ上記コンテナの外側下部側壁に接するようになっており、第２コンテナ接触可能手段は、上記本体部分が直立している時に、上記第１コンテナ接触可能手段の上に間隔を開けて設けられており、且つコンテナの内側上部側壁に接するようになっている少なくとも１つのコンテナ接触可能部分を有しており、上記本体部分は、両方の上記コンテナ接触可能手段を上げ下げするために旋回動作できるようになっている、トロリー装置。
【請求項２】
一方のコンテナ接触可能手段が、本体部分に沿って、他方のコンテナ接触可能手段に対して移動可能である、請求項１記載のトロリー装置。
【請求項３】
第２コンテナ接触可能手段は、本体部分に対してスライド移動可能になっており、最も上の位置と最も下の位置との間で停止させることができる解除可能なクランプが組み込まれた移動可能な台車を備えている、請求項１又は請求項２に記載のトロリー装置。
【請求項４】
クランプ機構が、本体部分に摩擦係合して付勢された解除可能なバネである、請求項３記載のトロリー装置。
【請求項５】
第２コンテナ接触可能手段は、第１コンテナ接触可能手段に向かって、及び、離れて、本体部分に沿って移動可能である、請求項２乃至請求項４の何れか１つに記載のトロリー装置。
【請求項６】
移動可能な第２コンテナ接触可能手段は、手又は足による操作部材、又は、ハンドル手段の領域内の作動手段により、本体部分に沿って、位置を変えることができるようになっている、請求項５記載のトロリー装置。
【請求項７】
第２コンテナ接触可能手段は、上部が開いたコンテナの、最上部の内側リムの下側の、上部の内側壁に、係合するようになっている、少なくとも１つのフック部材を有する、上記何れかの請求項に記載のトロリー装置。
【請求項８】
一対のフック部材が、本体部分に向かって突き出ている端部を備えている、請求項７記載のトロリー装置。
【請求項９】
第２コンテナ接触可能手段は、本体部分が通る穴を有する結合部分によって、相互接続された、一対の概ね平行なプレートを、更に備えている、請求項８記載のトロリー装置。
【請求項１０】
本体部分が、車輪付きシャーシを備えている、又は、該シャーシに取り付けられている、上記何れかの請求項に記載のトロリー装置。
【請求項１１】
第１コンテナ接触可能手段は、シャーシに搭載され、且つ、該シャーシから外側に突き出ている、請求項１０記載のトロリー装置。
【請求項１２】
第１コンテナ接触可能手段は、上記第１手段とコンテナの上記外側壁との間の摩擦係合を補助するために、移動可能且つ変換可能な手段を備えている、上記何れかの請求項に記載のトロリー装置。
【請求項１３】
第１コンテナ接触可能手段及び第２コンテナ接触可能手段が、それぞれ、少なくとも２つのコンテナ接触可能表面部材を備えている、上記何れかの請求項に記載のトロリー装置。
【請求項１４】
第１コンテナ接触可能手段は、更に、移動可能な補助的コンテナ接触可能部分を有する、上記何れかの請求項に記載のトロリー装置。
【請求項１５】
補助的部分が、上記少なくとも１つのコンテナ接触可能部分の回りを回動可能である、請求項１４記載のトロリー装置。
【請求項１６】
上記コンテナ接触可能部分と補助的コンテナ接触可能部分とが、本体部分から平行に伸びている、請求項１４又は請求項１５に記載のトロリー装置。
【請求項１７】
第１コンテナ接触可能手段は、装置の下部に搭載された少なくとも２つの間隔を開けて設けられたブラケットを備えており、各ブラケットは、旋回可能に搭載されたアームが組み込まれており、該アーム上には、一対のコンテナ接触可能形態が設けられており、これにより、少なくとも４つのコンテナ接触可能形態を示すようになっている、上記何れかの請求項に記載のトロリー装置。
【請求項１８】
第１コンテナ接触可能手段は、装置が直立している時に、水平面内に搭載された少なくとも２つの間隔を開けて設けられた旋回アームを備えており、各旋回アームは、コンテナ接触可能形態と共に、それらの端部に、又は、それらの端部領域に、設けられている、請求項１乃至請求項１６の何れか１つに記載のトロリー装置。
【請求項１９】
第２コンテナ接触可能手段のコンテナ接触可能形態は、収束するように搭載されている、上記何れかの請求項に記載のトロリー装置。
【請求項２０】
第２コンテナ接触可能手段のコンテナ接触可能形態は、柔軟なフェルールを備えている、上記何れかの請求項に記載のトロリー装置。
【請求項２１】
本体部分は、３本の間隔を開けて設けられた、概ね平行に直立した、細長い管を、備えている、上記何れかの請求項に記載のトロリー装置。
【請求項２２】
コンテナ、好ましくは、上部が開いたコンテナと組み合わされる、上記何れかの請求項に記載のトロリー装置。
【請求項２３】
クランプ機構が、本体部分の回りを横方向に回転可能である、上記何れかの請求項に記載のトロリー装置。
【発明の詳細な説明】
【発明の詳細な説明】
【０００１】
本発明は、トロリー装置に関する。より具体的には、本発明は、コンテナ、特に縁取りされたコンテナ、より詳しくは、上が開いているガーデンコンテナを、ある場所から他の場所に移動させるためのトロリー装置に関する。
【０００２】
コンテナガーデニングは、ここ数年に渡り増加しており、人気がでたのは、ガーデニング活動に対する報道機関による報道によるものと、多数の書籍や雑誌類による後押しがあったためである。事実、あらゆるガーデンセンターが、異なる趣やタイプの庭に合う、広範囲にわたる大きさの鉢や同様のガーデニングコンテナを、提供している。
【０００３】
これらのコンテナが、耕土や堆肥土等の物で充たされている時、特に、成長中の低木や他の植木を保持している時、それらは、非常に重く成り、それ故、手であちこち移動することは難しく、且つ扱いにくい。しばしば、複数の人が一杯詰まったコンテナをある場所から他の場所へと持ち運ぶことが必要になる。例えば、季節の変化、耕土の補充又は植木や低木の植え換え、もしくは、単に見栄えを良くするため、上記一杯詰まったコンテナをあちこち移動する必要がある。
【０００４】
特に、中型またはそれ以上大型の鉢やコンテナが耕土で充たされた時、それらは、移動することが難しく、且つ扱いにくくなる。それらに定着した植木や低木が収容されている場合にはなおさらである。上記一杯詰まった上の開いているコンテナを、ある場所から他の場所に置き換えることは、それ故、見合う力のない人、年配の人、腰痛持ちの人にとっては、苦痛であり、けがをする恐れのあるものである。一杯詰まったコンテナを移動する際のこの問題は、コンテナが、地面の上に向かって突き出た外周リップを有する受け皿やトレイの中に、既に置いてある時に、より大きな問題になる。しばしば、該ケースは、植木や低木の鉢等のコンテナがベランダやサンルームに置かれている場合に該当する。更に、ガーデンセンターや他の小売店では、定期的に展示している個々の鉢を、あちこちに移動させる必要がある。本発明の目的は、コンテナ、特に、植木や低木の有無によらず、耕土や堆肥土を収容している鉢の持ち運びを補助するトロリー装置を提供することである。特に、本発明は、上記コンテナを、１回の操作で、最小限の力で、持ち運ぶことができるトロリー装置を提供しようとするものである。
【０００５】
本発明によれば、コンテナを持ち運ぶことができるトロリー装置は、ハンドル手段と、地表に沿って装置を移動できるようにする手段とを有する本体部分とで構成されている。該本体部分は、本体部分が直立している時、地上よりも上に位置している、少なくとも１つのコンテナ接触可能部分であって、上記コンテナの低い外側部分に係合することができるものを含んでいる第１コンテナ接触可能手段と、上記本体部分が直立している時、上記第１接触手段よりも上に位置している、少なくとも１つのコンテナ接触可能部分であって、上記コンテナの高い内側部分に係合することができるものを含んでいる第２コンテナ接触可能手段と、を有している。上記本体部分は、両方の上記コンテナ接触可能手段を持ち上げるために旋回することができるようになっている。
【０００６】
本体部分は、好ましくは、金属管材のような細長い管であって、例えば、長方形や正方形の断面を有するものを、備えている。本体部分は、複数の上記細長い管部材で構成されても良く、更に好ましくは、概ね平行に並んでいる複数の細長い管部材を、備えていても良い。ハンドル手段は、細長い管材状であって、本体部分に取り付けられた、あるいは、本体部分に一体形成されている、ハンドル部分で、都合よく、構成されている。ハンドル手段は、更に、その離れた位置にある端部において、ゴム製やフォームスリーブのようなグリップ手段を、備えていても良い。装置を移動可能にする手段は、車輪の付いたシャーシ、例えば、概ね長方形のハウジングを形成するように、間隔を開け、且つ接続されている一対のプレート部材と、該ハウジング内に設けられた、両端に車輪を備えている車軸と、で構成されている。上記車輪の付いたシャーシは、ボルトや他の適当な留め金具により本体部分に都合よく取り付けられている、本体部分とは分離したものでも良いし、あるいは、該シャーシは、上記本体部分に一体形成された部分であっても良い。しかしながら、使い易さや製造のしやすさのため、地表に沿って装置を移動できるようにする上記手段は、分離取り付け可能な車輪の付いたシャーシを、備えていることが、一般に好ましい。上記車輪の付いたシャーシは、軽作業用のものから重量作業用のものへと、トロリー装置を変更できるように、最も都合よく構成されている。例えば、重量作業用のものの場合、追加の細長い管材が、シャーシ部分の対向する端部に追加され、これにより、本体部分は、構造内において、概ね平行に伸びた、３本の細長い管材を取り入れた配置になる。上記シャーシは、車輪付きのシャーシが好ましいが、地表に沿って装置を移動できるようにする他の手段を代用することもできる。本体部分は、移動可能にする手段の周りに旋回可能になっていること、例えば、本体部分は、上記車輪の付いたシャーシの周りに回り継ぎ手で支持されていることが好ましい。
【０００７】
第１コンテナ接触可能手段は、好ましくは、上記車輪付きのシャーシのある表面から伸びた一対の突き出ている継ぎ手を、備えている。例えば、上記第１コンテナ接触可能手段は、円形又は方形の断面になっていて、シャーシから離れた位置にある端部にゴムフェルールのような摩擦グリップが設けられている、短い中空の管材や、好ましくは、スチールのような中実の金属で、構成されている。該ゴムフェルールは、使用時、植木鉢のような上が開いたコンテナの外側下部に係合するようになっている。最も好ましくは、第１コンテナ接触可能手段は、中実で円形の断面の細長いスチールで構成されており、該スチールは、その間に間隔を開けるための片を備えているシャーシ部分を通過するように、一方の端部で径が小さくなっており、該シャーシ部分にワッシャーとロックナットにより固定されている。この組み立て方法は、装置のこれらロードベアリング部材の強度を高める。上記配置では、第１コンテナ接触可能手段のコンテナ接触可能部分は、上記摩擦グリップを、備えている。トロリー装置が地面に接して移動可能にする手段を伴い、本体部分が自立する位置にある時、第１コンテナ接触可能手段のコンテナ接触可能部分は、地上に間隔を開けて設けられている。第１コンテナ接触可能手段のコンテナ接触可能部分は、車輪の付いたシャーシ、本例では、本体部分に固定されている。他の配置において、上記第１コンテナ接触可能手段は、上記車輪付きのシャーシと本体部分とに対して移動可能なものでも良い。
【０００８】
既に上述したように、最も好ましい、装置に用いられるコンテナは、植木鉢や低木鉢のような上部が開いているコンテナを含むものであり、該コンテナには、低木や同種の植物を伴う、かなりの量の耕土、及び／又は、堆肥土が含まれている。好ましくは、第１コンテナ接触可能手段の上記コンテナ接触可能部分に係合される鉢の外側下部は、地表よりも僅かに上の位置に、コンテナの外周部分を囲む表面部分を含んでいる。
【０００９】
第２コンテナ接触可能手段は、好ましくは、本体部分に関して位置を変えることができる移動可能な台車を、備えている。第２コンテナ接触可能手段は、本体の縦方向に移動させることができ、これにより、好ましい状態で固定された第１コンテナ接触可能手段と、第２コンテナ接触可能手段との間の距離が、２つのコンテナ接触可能手段の間隔を変更することにより、変えることができる。第２コンテナ接触可能手段は、少なくとも１つ、好ましくは２つのコンテナ接触可能部分を備えており、該手段は、本体部分が直立している時、上記第１コンテナ接触可能手段の上に置かれるものである。第２コンテナ接触可能手段のコンテナ接触可能部分は、好ましくは、フック部材を、備えている。一対の同様のフック部材が、第２コンテナ接触可能手段の一部分に取り付けられている。例えば、上記フック部材は、移動可能な台車の一部を形成するプレート部材に、しっかりと締結されている。フック部材は、好ましくは、移動可能な台車の上に間隔を開けて設けられている、離れた位置にある端部を有しており、該端部は、装置の本体部分の方に向けて、内側に方向付けられている。一方、第１コンテナ接触可能手段のコンテナ接触可能部分の離れた位置にある端部は、好ましくは、上記本体部分から突き出すようになっている。
【００１０】
上記フック手段が、好ましく配置される事により、上記離れた位置にある端部が、上の開いているコンテナの内側上部に接触することができるように、配置される。例えば、第２コンテナ接触可能手段のこれらコンテナ接触可能部分は、鉢のような上部が開いているコンテナの内側上部周辺に係合するように、本体部分に配置された突起物を、備えている。好ましくは、上部が開いているコンテナの上記部分は、コンテナの内側壁のリムの直下に位置している内側面である。
【００１１】
コンテナ接触可能手段の一つが、上記本体部分に沿って他の手段に対して移動可能になっていることが、好ましい。また、上記コンテナ接触可能手段の一つが移動可能になっており、移動可能な台車を構成していることが好ましい。上記移動可能な台車は、好ましくは、解除可能なクランプ機構が組み込まれていることが、好ましい。
【００１２】
上記クランプ機構は、与えられたところによれば、好ましくは、装置の使用者が望むまでの間、本体部分の特定の位置を維持し、そこから動かないようにする、本体部分に摩擦係合して付勢された解除可能なバネである。
【００１３】
第２コンテナ接触可能手段は、好ましくは、本体部分に沿って、好ましく固定された第１コンテナ接触可能手段に向かう方向と、離れる方向とに線形移動可能になっている。移動可能な第２コンテナ接触可能手段は、与えられたところによれば、好ましくは、旋回するプレートのような手又は足により操作する部材により、又は、ハンドル手段の領域内で伸びるレバーのような他の手段により、上記本体部分に沿って位置を変えることができるようになっている。
【００１４】
第２コンテナ接触可能手段は、好ましくは、一対の概ね平行な、金属プレートのようなプレートであって、本体部分を通過する開口を有する結合部分により相互に連結されたものにより、構成されている。第１コンテナ接触可能手段は、好ましくは、上記第１コンテナ接触可能手段とコンテナの外側下部との間の摩擦係合を増やすための手段を備えている。第１コンテナ接触可能手段と第２コンテナ接触可能手段とは、好ましくは、少なくとも２つのコンテナ接触可能形態を、備えている。
【００１５】
トロリー装置の本体部分は、軽作業用実施形態において、好ましくは、１つの細長い管材で構成されているのに対し、重量作業用実施形態において、本体部分は、好ましくは、複数、例えば３本の間隔を開けて概ね平行に直立した、細長い管材で構成されている。
【００１６】
本発明の上述した形態、そして、他の形態の順に、説明されるが、より評価しやすく、簡単に実行することができる、実施形態について、非限定的な一例として、添付図面を参照しつつ説明する。
【００１７】
まず、図１Ａ〜図１Ｄを参照すると、これらは、鉢自体に対して行う手作業の必要によらず、種々の直径、形状、高さ、そして、重さのガーデン鉢や同様の物品を、持ち運ぶための、車輪の付いたトロリー装置を、示している。該車輪のついたトロリー装置は、フック状の棒と、ゴムフェルールの付いた棒とによって、鉢のある側に本体を取り付けるだけで、鉢の底を持ち上げるために支持するものを除去する。この結果は、使用者による最小限の力で、コンテナを取り扱う技術を付与するものである。
【００１８】
図２，図３は、軽作業用ユニットや重量作業ユニット用に用意された、トロリー装置に関係する、組み立て部品にボルト締めされたモジュールであって、数多くの部品が軽作業用と重量作業用とで互換性があるもの、を示している。軽作業用ユニットは、単一の中央の断面が正方形の管状部材１の形態の本体部分を有している。該管状部材１は、フック３が取り付けられた、移動可能な台車の組み立て部品２と、１本のハンドル４とを有している。重量作業用ユニットは、車軸５を運ぶ短い、断面が正方形の管が、車輪の付いたシャーシの下側のストレッチャー部分６から除去され、剛直で概ね平らな構造を形成するように、中央の管１と同一の２本の側管７が代わりに設けられている。追加のストレッチャー部分８は、管の頭部を横切り、ボルト締めされており、中央に取り付けられていたハンドルの代わりに、２本のハンドル９が取り付けられている。移動可能な台車の組み立て部品２は、依然として、中央の管に取り付けられている。車軸１０は、単一又は二重の車輪が、逆回転可能な状態で、取り付けられており、後者の場合、望む場合には、柔らかい地面に、より大きな轍を残すことができる。車輪の付いたシャーシの下側のストレッチャー５は、２本の固定された支持棒であって、先端にゴムフェルールが付された棒１１を持っている。
【００１９】
図４は、中央の断面が正方形の管１の本体部分と、移動可能な台車の組み立て部品２であって、異なる高さの鉢に対して調節するものとを示している。組み立て部品２は、正面プレート１２と、形作られたフック３と、背後プレート１３とを、備えている。これらのプレートは、スペーサ１４と、該スペーサを通るボルトであって端部が自動ロック式ナット１５により留められているものと、一緒に保持されており、該組み立て部品のガイドとして働く。ブラケット１６は、背後プレート１３に取り付けられ、且つ移動可能な台車の組み立て部品２を上げるための持ち上げ位置として機能する。また、ブラケット１６は、バネ１７の支持台としても機能する。バネ１７は、ロッキングプレート１８の下側に対して上向きの力をかけるように働く。このプレートは、正面プレート１２にＶ字状に保持されることにより、先端エッジの部分で蝶番動作するようになっている。該配置は、中央の断面が正方形の管１にくさび動作を生じさせて、フックのあらゆる下方移動を防止する。スライディング機構ロッキングプレート１８の解除は、例えば、足又は手の操作によって、プレート１８の後ろ側の端部を下方に押し下げることにより行われ、これにより、組み立て部品は、降下し、圧力が除去された時、再びロックされる。
【００２０】
図５は、第１方法に、移動可能な台車組み立て部品を操作するための追加手段を、補った実例を示している。該追加手段は、ノブが取り付けられ、ブレーキングブラケット２０内でスライドする、操作ロッド１９を、備えている。操作ロッド１９の低い側の端部は、ロッキングプレート１８のエッジ部分と、正面プレート１２のＶ字状の保持部分とを通過し、端部が自動ロック式ナット２１により締められている。フォーク状のプレッシャープレート２２が、ロッキングプレートの上で直接操作ロッド１９に取り付けられている。該プレッシャープレート２２は、両側をナットにより位置決めされており、その後端は、ロッキングプレート１８の上面に接するように、下向きに折り曲げられている。操作ロッド１９に印加されている、下向きの力は、ロッキングプレート１８に力を掛けることになり、取り付けられたフックを備えている移動可能な台車組み立て部品２は、新たな位置にまで降下し、そして、圧力の解除により自動ロックする。操作ロッド１９を上に引き上げると、ロッドの下端の自動ロック式ナット２３が、正面プレート１２の直角に折り曲げられた部分に接触することになる。上方向への移動は、ロッキングプレート１８の自己解除により達成され、移動停止時に再びロックされる。
【００２１】
図１Ａ乃至図１Ｄは、使用状態にあるトロリー装置を示している。トロリー装置は、鉢の側部に対して垂直方向に僅かに持ち上げられた位置に置かれており、上の位置にフック機構を備えていると共に、鉢の外側下面２４に接する、先端にゴムフェルールが付された棒１１を備えている。フック３は、上述した何れかの方法、即ち、（装備している場合には）操作ロッドにより、或いは、手又は足によりロッキングプレート１８の後端を押し下げることにより、都合よく鉢の内側の、土壌、又は、内側上面２５に向けて強制的に下げられる。トロリー装置のハンドルを用いる車輪付きのシャーシの車軸周りの、旋回機構後端は、第１及び第２コンテナ接触可能手段を持ち上げる。第１及び第２コンテナ接触可能手段は、鉢を地面より持ち上げ、鉢が受け皿に載っている場合には、該受け皿から外に取り出す。これで、鉢を遠くに運ぶことができる状態になる。鉢が地面に降ろされた後、該鉢の開放は、また、２つの方法、即ち、操作ロッドを上に持ち上げ、或いは、足や手でブラケット１６を持ち上げることにより達成される。待機するために、且つ使用者の安全のために、移動可能な台車は、最も低い位置にまで下げることができ、これにより、フックは、支持棒の間を通過し、保護される。トロリー装置は、この時、略垂直な待機状態で立っている。
【００２２】
代わりのフック取り付け装置が図６に示されている。異なる形状のフックが特別な目的のために要求される場合、コレットシステムを備えることができる。二重のフック２８は、一本の高張力バネワイヤから形成されており、配置されているコレットナット２９は、図示するように、迅速に取り付けることができる。
【００２３】
図７ａを参照すると、軟質のコンテナ２６内に配された低木や同様のものは、ゴムフェルールを、より良いグリップが得られる硬い先の尖った代替物３０に交換することにより、より効果的に、持ち運びすることができる。
【００２４】
図７ｂを参照すると、半硬質の面を備えている、樹脂製ガーデンゴミコンテナ２７も、トロリー装置の本実施形態により移動することができる。
【００２５】
使い勝手の良いトロリー装置は、それ故、最小限の力を伴う一つの作業で、上部が開いた重いコンテナを持ち上げ、他の所望の位置へと運ぶことができる。主な利点は、コンテナの底にわざわざ配置される装置の任意の部分を無くしたことと、トロリー装置が、最初に、コンテナを手で部分的に持ち上げたり、回転させたりする必要なく、持ち上げる作業を完了できることである。
【００２６】
図８乃至図１０を参照すると、軽作業用のより用途の広い実施形態が示されているが、変更部分がここで生じる効果は、図３に示され、且つ図３を参照して上述した重量作業用の装置にもそのまま適用することができ、且つ容易に組み込むことができるものである。これらの図において、第１コンテナ接触可能手段は、現に、コネクタ３８に連結されている継ぎ手３９を含んでいる移動可能で補助的なコンテナ接触可能部分を、含んでおり、該継ぎ手は、補助的な接触ゴムフェルール１１ａを備えている。このゴムフェルールは、上述したゴムフェルールの全ての材料に対応するものである。フェルール１１，１１ａは、図１１に示す‘アリババ’タイプのコンテナ４４のようなコンテナの外側表面に摩擦接触し、係合しやすくするために、複数の突起（参照番号は付していない）が設けられている。上記変更した装置において、継ぎ手３１は、ゴムフェルール１１と共に、低い側のストレッチャー部分６から突き出ており、且つ堅固に取り付けられている。上記の点に関して、配置は、図２に示され、且つ参照して説明された実施例と同一である。変更された装置は、継ぎ手３１上で限定された範囲に回動可能に搭載されている一体形成カラー３４を有する、バネで付勢された突起３３を、備えている。突起とカラーは、継ぎ手３１が通る共通の中央内径回りに、一体形成され、且つ、伸びている。継ぎ手３１は、低い側のストレッチャー部分６の近く又は隣接する端部において、カラー内に形成され、且つだぼが案内される３つの溝３６，３７の内の一つに係合するように突き出ているだぼ３５を含んでいる。
【００２７】
短い金属管のような、コネクタ３８は、継ぎ手３１に関し鋭角に伸びるように、突起３３に取り付けられており、短い第２継ぎ手３９は、継ぎ手３１，３９、即ち、フェルール１１ａ，１１が装置から平行に伸び、且つ装置が図８に示すように直立している時に、直立している本体部分１に対して９０度の角度を持つように、コネクタ３８に固定されている。ばね３２により突起３３にかかるバネ荷重は、だぼ３５とカラーに位置する溝３６，３７の何れかとの間に確実な係合を生じる。補助的なコンテナ接触可能部分１１は、それ故、図９に示すように、円弧４０，４１の周りに回転することができる。回転位置において、安静位置は、４２で表されており、中間位置は、フェルール１１ａが、図８，９によりはっきりとした線で示してある使用位置に達する前の４３で表されている。４２で表されている安静位置は、所望される場合には、補助的に接触している部分１１ａのために、待機位置、又は、非操作位置として、使用される。待機位置４２から、中間位置４３を通り、操作位置（部分１１ａが、コンテナの外側の低い面に接触するように）へと位置変更させるため、突起３３は、手で捕まれ、バネ抵抗に抗して引き寄せられ、回転され、開放される。これにより、突き出ているだぼは、カラー３４内の溝３７から解放され、他に用意されている溝３６に係合する。第２コンテナ接触可能手段は、この変更したバーションには影響を受けない。
【００２８】
図１１を参照すると、変更した軽作業用バージョンの装置の使用状態が示されている。幾つかのコンテナの特定形状や側壁の輪郭が明らかにされていると共に、第１コンテナ接触可能手段が、既に説明され且つ表示されている上記手段の固定位置よりも、地表上の更に上の位置に持ち上げられていることにより、装置によって、コンテナにてこの作用を及ぼすこと、搬送し、開放することが、容易になり又は改善されるということが明らかにされている。補助的に接触している部分は、操作位置において、既に在る第１コンテナ接触可能手段の位置よりも約１００mm上に持ち上げられている。図１１に示すような、“アリババ”状の輪郭の側壁を持つ、中が一杯に詰まった鉢に対して、係合し、搬送し、及び、再配置する能力が、改良された。該改良点は、中心が、ラインＸ(図１１)と低い位置にある接触手段から移動することにより、高さと直径の比率が１−１の範囲を超えている、同種の鉢に対しても用いることができる。この効果は、角度Ｙ(図１１）を増加し、ラインＸを短くし、第２コンテナ接触可能手段を形成するフックと、第１コンテナ接触可能手段の構成要素として利用されるフェルール／継ぎ手の部分とに対する均一な負荷配分を提供することになる。
【００２９】
図１２の配置では、第１コンテナ接触可能手段は、更に、全部で、４つの分離したコンテナ接触可能構成１１，１１ａを提供するように変更されている。ここで、２つの上記構成は、持ち上げられた突起物を補助する複数の摩擦箇所が組み込まれているゴムフェルールの特性上、旋回アーム３９ａの双方の端部に設けられる。この旋回アームは、シート状の金属チャンネル部分から形成されたブラケット５０の対向するプレート３８ａ間の旋回軸受け筒４７ａに取り付けられている蝶番４７の旋回動作を制限するために設けられている。ブラケットは、例えば、ボルト４９により、下側のストレッチャー部分に、堅く固定されており、傾斜の付いた角度で、本体部分１から外側に突き出ている。
【００３０】
旋回アーム３９ａは、バネ４８によりバネバイアスされており、これにより、使用前であって、本体部分１が図１３に示すような直立している時に、旋回アーム３９ａは、概ね、又は、実質、上記本体部分に対して平行で、間隔を開けた位置にある。この位置において、旋回アーム３９ａの後面とチャンネル部分ブランケット５０の隣接エッジとの間の間隙又は間隔は、旋回動作と、旋回アームの後面と該チャンネル部分のエッジとの間の接合部（アバットメント）の停止位置又は待機位置と、を与える。これは、図１３，図１４において、旋回アームの示されている２つの位置により示されている。ここで、‘アリババ’タイプの上部が開いたコンテナは、本体部分１を直立状態から後側に数度傾けることにより、その対になっている受け皿から外に持ち上げられる。
【００３１】
図１２から図１４に示すような、この代替的なコンテナ支持システムは、第１コンテナ接触可能手段に４つの接点であって、対応するコンテナの低い位置の側壁の外側部分に接するものを提供する。特別な利益は、この配置が手による変更を必要とすることなく、種々の側壁の型に自動的に対応して位置調節することである。
【００３２】
この配置は、困難を伴うことなく、重量作業用バージョンを作ることができる。
【００３３】
図１５を参照すると、トロリー装置の配置は、実質的に図１２，図１３に示され、且つ図１２，図１３を参照しつつ上述された実施形態に対応するものである。違いは、バネ（図１３のバネ４８）が削除されたことと、第２コンテナ接触可能手段において、突き出ているアームは、尖った部分の代わりにゴムフェルール１１ｂを備えていることである。図１５のバリエーションは、第１コンテナ接触可能手段の垂直方向の旋回アームの改善された自己位置調整機能により、図１２，図１３の実施形態のものよりも、より効果的に機能するものである。
【００３４】
図１６を参照すると、３つの異なるサイズの鉢を配置した、変更したトロリー装置の平面図が示されている。上述した実施形態の構成上の特徴は、同じ参照番号を付してある。好ましい実施形態において、第１コンテナ接触可能手段は、一対の水平に搭載された、水平方向に旋回する旋回アーム３９ｂから構成されている。それぞれの個々の旋回アーム３９ｂは、鉢のコンテナの外側の低い位置にある表面に係合するようになっている、一対のコンテナ接触可能ゴムフェルール１１，１１ａを含んでいる。水平の旋回アーム３９ｂは、蝶番４７ａによって低位支持ブラケット５１に搭載されている。該低位支持ブラケットは、これも、低い位置のシャーシ構造６に、そこから外側に突き出るように、堅く固定されている。該低い位置は、装置が直立状態に置かれている時に、地上に間隔を開けた位置である。したがって、第１コンテナ接触可能手段のゴムフェルール１１，１１ａは、装置が同じ位置にある時には、同じように地上の上に間隔を開けて置かれ、かつ、装置が適当なコンテナに用いられ、持ち運ぶため同様に係合される時には、コンテナの外側の低い位置の表面部分に接触するように、自己位置調整型の動作を行う。
【００３５】
この実施形態においては、第２（上部）コンテナ接触可能手段は、また、三角形構造の骨組みアレイ２ａが、対応する移動可能な搭載プレート１８に固定され、かつ、２９ａのところで、それらにボルト留めされたアーム３ａが、装置から離れる向きにその長さの観念上の延長部分が円形の断面を有する鉢コンテナのＸ-Ｘ線に沿う直径を横切るように、収束するように突き出ている、という点において変更が施されている。変更されたアームは、フェルール１１，１１ａよりも小さなゴムフェルール１１ｂが、コンテナの上側内面部分に接触するようになっている、それらの離れた位置にある端部に、設けられている。上記フェルールは、尖った先により傷がつくプラスティック製の鉢に、好ましいものであり、これらの端部を、地下、堆肥土、又は、他の任意に鉢に入れる物質に差し込むことによって、使いやすさが妨げられることもない。
【００３６】
図１５に示すように、アーム３ａが位置する垂直プレーンが、旋回アーム３９ｂの旋回点４７ａを横切ることが好ましく、これは、それぞれの旋回アームの長さに沿う中途に位置するのが理想的である。上記配置は、直径の大きな鉢に対してより良い安定を提供するものであり、且つ負荷を１つのエリアの代わりに、２つのエリアに分割することにより、鉢が受ける応力を軽減することを助けるものである。
【００３７】
ガーデンコンテナのような上部が開いたコンテナについて記述してきたが、本発明は、上部が、ガーデンコンテナの場合のように開いているものや、ドラムや樽のように、閉じているが、フック３，２８により係合するのに十分な深さのリムを有する、多くのタイプのコンテナの取扱いに関して、等しく有効なものである。例えば、図１７に示してある例では、図１の実施形態が、閉じた上部５３と、フック３により係合するのに十分な深さのリム５４とを有する樽５２を、移動するのに用いられている。
【図面の簡単な説明】
【００３８】
【図１Ａ】上部が開いた植木コンテナを持ち上げ、移動し、下げることに関する、本発明のある好ましい、トロリー装置の使用状態を示すものである。
【図１Ｂ】上部が開いた植木コンテナを持ち上げ、移動し、下げることに関する、本発明のある好ましい、トロリー装置の使用状態を示すものである。
【図１Ｃ】上部が開いた植木コンテナを持ち上げ、移動し、下げることに関する、本発明のある好ましい、トロリー装置の使用状態を示すものである。
【図１Ｄ】上部が開いた植木コンテナを持ち上げ、移動し、下げることに関する、本発明のある好ましい、トロリー装置の使用状態を示すものである。
【図２】本発明のある好ましい、軽作業用の実施形態の等角図である。
【図３】より重量作業用の代わりの実施形態の等角図である。
【図４】第２コンテナ接触可能手段のある適切な形態の部分側断面図である。
【図５】第２コンテナ接触可能手段の正確な位置変えを行うための手段を示す、軽作業用又は重量作業用のトロリー装置の部分側断面図である。
【図６】第２コンテナ接触可能手段の正確な位置変えを行うための手段を示す、軽作業用又は重量作業用のトロリー装置の部分側断面図である。
【図７】異なる型の、低木や他の植木材を収容する必要の無い、上部が開いたコンテナを運搬、移動するトロリー装置を、図示している。
【図８】調整可能な第１コンテナ接触可能手段を追加して、重量作業用に変更したトロリー装置を、ある側面から見た部分図である。
【図９】図８に示された、変更したトロリー装置の部分の正面図である。
【図１０】図８，図９に示されている、調整可能な第１コンテナ接触可能手段の部分拡大図である。
【図１１】図１Ｃに示されたのと同様の手法による、改良された軽量作業用のトロリー装置の使用を示している。
【図１２】追加の軽量作業用の実施形態であって、第１コンテナ接触可能手段が、追加のコンテナ接触可能部分によって補足されているものを示すものである。
【図１３】図１２のＸ-Ｘ線に沿う断面図である。
【図１４】図１２の実施形態の使用を示している。
【図１５】図１２，図１３の実施形態の変形例を示している。
【図１６】トロリー装置の更に別の構造であって、第１コンテナ接触可能手段のコンテナ接触可能構成が、水平面上で旋回できるように配置されているものを、示している。
2006508864.tif 000003
【図２】
2006508864.tif 000004
【図３】
2006508864.tif 000005
【図４】
2006508864.tif 000006
【図５】
2006508864.tif 000007
【図６】
2006508864.tif 000008
【図７】
2006508864.tif 000009
【図８】
2006508864.tif 000010
【図９】
2006508864.tif 000011
【図１０】
2006508864.tif 000012
【図１７】
2006508864.tif 000013
【図１１】
2006508864.tif 000014
【図１２】
2006508864.tif 000015
【図１３】
2006508864.tif 000016
【図１４】
2006508864.tif 000017
【図１５】
2006508864.tif 000018
【図１６】
2006508864.tif 000019
【国際調査報告】
2006508864.tif 000020
2006508864.tif 000021
2006508864.tif 000022